(57)【要約】  集積回路は、リスナーへの再生のためのソース・オーディオ信号と、トランスデューサの音響出力内の周囲のオーディオ音の影響を打ち消すためのアンチノイズ信号との両方を含む信号をトランスデューサに提供するための出力と、トランスデューサにおける周囲の音を示すマイクロホン信号を受信するためのマイクロホン入力と、トランスデューサ及び／又はマイクロホン信号を生成するためのマイクロホンに集積回路を結合する通信リンクのリンク制御情報であって、通信リンクのリンク品質測定を含むリンク制御情報を受信するためのリンク制御入力と、トランスデューサの音響出力における周囲の音を最小化するため、マイクロホン信号に合わせてアンチノイズ信号を生成する応答を有するフィルタを備え、リンク品質測定に応答してアンチノイズ信号の生成を修正する処理回路と、を含むことができる。
2018533772.tif 000002
【特許請求の範囲】
【請求項１】
パーソナル・オーディオ機器の少なくとも一部を実装するための集積回路であって、
リスナーへの再生のためのソース・オーディオ信号と、トランスデューサの音響出力内の周囲のオーディオ音の前記影響を打ち消すためのアンチノイズ信号との両方を含む信号を前記トランスデューサに提供するための出力と、
前記トランスデューサにおける周囲のオーディオ音を示すマイクロホン信号を受信するためのマイクロホン入力と、
前記トランスデューサと前記マイクロホン信号を生成するためのマイクロホンとの１つ又は複数に前記集積回路を結合する通信リンクのリンク制御情報であって、前記通信リンクのリンク品質測定を含むリンク制御情報を受信するためのリンク制御入力と、
前記トランスデューサの前記音響出力における前記周囲のオーディオ音を最小化するため、前記マイクロホン信号に合わせて前記アンチノイズ信号を生成する応答を有するフィルタを備え、前記リンク品質測定に応答して前記アンチノイズ信号の生成を修正する処理回路と、を備える集積回路。
【請求項２】
前記フィルタは適応フィルタであり、前記処理回路は、前記リンク品質測定に応答して前記フィルタの適応を修正することによって前記アンチノイズ信号の生成を修正する、請求項１に記載の集積回路。
【請求項３】
前記処理回路は、前記リンク品質測定に応答して前記フィルタの前記適応を中止することによって前記フィルタの前記適応を修正する、請求項２に記載の集積回路。
【請求項４】
前記処理回路は、前記リンク品質測定に応答して前記フィルタの前記応答の前記適応の混乱を治癒するために、前記フィルタの１つ又は複数の係数を所定値に設定することによって、前記アンチノイズ信号の生成を修正する、請求項２に記載の集積回路。
【請求項５】
前記処理回路は、前記リンク品質測定に応答して前記アンチノイズ信号をミュートすることによって前記アンチノイズ信号の生成を修正する、請求項１に記載の集積回路。
【請求項６】
前記処理回路は、前記リンク品質測定を閾値と比較し、そのような比較に応答して前記アンチノイズ信号の生成を修正する、請求項１に記載の集積回路。
【請求項７】
前記リンク品質測定は、前記通信リンクのビットエラーの数を含む、請求項１に記載の集積回路。
【請求項８】
前記リンク品質測定は、前記通信リンクのビットエラー率を含む、請求項１に記載の集積回路。
【請求項９】
前記処理回路は更に、第２の通信リンクの第２のリンク制御情報を受信し、前記リンク品質測定に応答して前記第２の通信リンクに結合された１つ又は複数の機器に影響を及ぼすように構成される、請求項１に記載の集積回路。
【請求項１０】
（ｉ）リスナーへの再生のためのソース・オーディオと、トランスデューサの音響出力内の周囲のオーディオ音の前記影響を打ち消すためのアンチノイズ信号との両方を含む信号に応答して音を生成するための当該トランスデューサと、（ｉｉ）前記トランスデューサにおける周囲のオーディオ音を示すマイクロホン信号を制御するためのマイクロホンと、の１つ又は複数に集積回路を結合するように構成された通信リンクのリンク制御情報であって、前記通信リンクのリンク品質測定を含むリンク制御情報を受信することと、
前記トランスデューサの前記音響出力における前記周囲のオーディオ音を最小化するために前記マイクロホン信号に合わせて前記アンチノイズ信号をフィルタによって生成することと、
前記リンク品質測定に応答して前記アンチノイズ信号の生成を修正することと、を含む方法。
【請求項１１】
前記フィルタは適応フィルタであり、前記リンク品質測定に応答して前記フィルタの適応を修正することによって前記アンチノイズ信号を生成することを更に含む、請求項１０に記載の方法。
【請求項１２】
前記リンク品質測定に応答して前記フィルタの適応を中止することによって前記フィルタの前記適応を修正することを更に含む、請求項１１に記載の方法。
【請求項１３】
前記リンク品質測定応に応答して前記フィルタの応答の前記適応の混乱を治癒するために、前記フィルタの１つ又は複数の係数を所定値に設定することによって、前記アンチノイズ信号の生成を修正することを更に含む、請求項１１に記載の方法。
【請求項１４】
前記リンク品質測定に応答して前記アンチノイズ信号をミュートすることによって前記アンチノイズ信号の生成を修正することを更に含む、請求項１０に記載の方法。
【請求項１５】
前記リンク品質測定値を閾値と比較し、そのような比較に応答して前記アンチノイズ信号の生成を修正することを更に含む、請求項１０に記載の方法。
【請求項１６】
前記リンク品質測定は、前記通信リンクのビットエラーの数を含む、請求項１０に記載の方法。
【請求項１７】
前記リンク品質測定は、前記通信リンクのビットエラー率を含む、請求項１０に記載の方法。
【請求項１８】
第２の通信リンクの第２のリンク制御情報を受信し、前記リンク品質測定に応答して前記第２の通信リンクに結合された１つ又は複数の機器に影響を及ぼすことを更に含む、請求項１０に記載の方法。
【請求項１９】
通信リンクのリンク制御情報であって、前記通信リンクのリンク品質測定を含むリンク制御情報を受信するためのリンク制御回路と、
能動的に雑音を消去するためのＡＮＣ回路であって、前記リンク品質測定に応答して当該ＡＮＣ回路の挙動を修正するＡＮＣ回路と、を備える、分散されたアクティブ雑音消去（ＡＮＣ）システム。
【請求項２０】
前記ＡＮＣ回路は、能動的に雑音を消去するために前記マイクロホン信号に合わせてアンチノイズ信号を生成する応答を有するフィルタを備え、前記ＡＮＣ回路は前記リンク品質測定に応答して前記アンチノイズ信号の生成を修正する、請求項１９に記載の分散されたＡＮＣシステム。
【請求項２１】
前記フィルタは適応フィルタであり、前記ＡＮＣ回路は、前記リンク品質測定に応答して前記フィルタの適応を修正することによって前記アンチノイズ信号の生成を修正する、請求項２０に記載の分散されたＡＮＣシステム。
【請求項２２】
前記ＡＮＣ回路は、前記リンク品質測定に応答して前記フィルタの前記適応を中止することによって前記フィルタの前記適応を修正する、請求項２１に記載の分散されたＡＮＣシステム。
【請求項２３】
前記ＡＮＣ回路は、前記リンク品質測定に応答して前記フィルタの前記応答の前記適応の混乱を治癒するために、前記フィルタの１つ又は複数の係数を所定値に設定することによって、前記アンチノイズ信号の生成を修正する、請求項２１に記載の分散されたＡＮＣシステム。
【請求項２４】
前記ＡＮＣ回路は、前記リンク品質測定に応答して前記アンチノイズ信号をミュートすることによって前記アンチノイズ信号の生成を修正する、請求項２０に記載の分散されたＡＮＣシステム。
【請求項２５】
前記ＡＮＣ回路は、前記リンク品質測定を閾値と比較し、そのような比較に応答して前記アンチノイズ信号の生成を修正する、請求項２０に記載の分散されたＡＮＣシステム。
【請求項２６】
前記リンク品質測定は、前記通信リンクのビットエラーの数を含む、請求項１９に記載の分散されたＡＮＣシステム。
【請求項２７】
前記リンク品質測定は、前記通信リンクのビットエラー率を含む、請求項１９に記載の分散されたＡＮＣシステム。
【請求項２８】
前記ＡＮＣ回路は更に、第２の通信リンクの第２のリンク制御情報を受信し、前記リンク品質測定に応答して前記第２の通信リンクに結合された１つ又は複数の危機に影響を及ぼすように構成される、請求項１９に記載の分散されたＡＮＣシステム。
【発明の詳細な説明】
【技術分野】
【０００１】
本開示は、２０１５年９月２２日に出願された米国仮特許出願第６２／２２１，９６８号に対する優先権を主張する、２０１６年２月２５日に出願された米国特許出願第１５／０５３，７９２号に対する優先権を主張するものであり、これらの各々が、参照によりその全体が本明細書に組み込まれている。
【０００２】
本開示は、一般に音響トランスデューサに関連する適応雑音消去、より詳細には、音響トランスデューサの近傍に存在する周囲雑音の検出及び消去、並びに分散された適応雑音消去システムにおける適応雑音消去の制御に関する。
【背景技術】
【０００３】
モバイル／携帯電話などの無線電話、コードレス電話、ｍｐ３プレーヤーなどの他の民生用オーディオ機器が、幅広く使用されている。明瞭度に関してのそのような機器の性能は、周囲の音響事象を計測するためにマイクロホンを使用し、次いで、周囲の音響事象を消去するように機器の出力にアンチノイズ信号を挿入するよう信号処理を使用して雑音消去を行うことによって改善することができる。
【０００４】
無線電話、コードレス電話、又は他の民生用オーディオ機器などのパーソナル・オーディオ機器に結合された、１つ又は２つのマイクロホン及び耳毎のスピーカを有するステレオヘッドセットは、マイクロホンやスピーカなどのＡＮＣ回路に関連付けられたトランスデューサと同じ場所に設置されていない適応アクティブ雑音消去（ＡＮＣ）回路を含むことができ、したがって、適応ＡＮＣ回路がディジタルリンクによってトランスデューサから分離されている「分散された」ＡＮＣシステムを形成する。幾つかの環境では、ディジタルリンクは信頼性が欠如し、又は故障する可能性がある。このような場合、トランスデューサと適応ＡＮＣ回路との間の通信が中断され得る。このような状況では、誤ったデータが適応ＡＮＣ回路とトランスデューサとの間で送られることがあり、又はデータが完全に停止する可能性がある。したがって、ディジタルリンクの故障又は非信頼性の結果として生じ得る不快で可聴な人為要素（artifact）を防止することが望ましいことがある。
【発明の概要】
【発明が解決しようとする課題】
【０００５】
本開示の教示によると、信号をフィルタ処理することへの既存の手法に関連付けられる特定の欠点及び問題点を低減し又はなくすことができる。
【課題を解決するための手段】
【０００６】
本開示の実施例によると、パーソナル・オーディオ機器の少なくとも一部を実装するための集積回路は、リスナーへの再生のためのソース・オーディオ信号と、トランスデューサの音響出力内の周囲のオーディオ音の影響を打ち消すためのアンチノイズ信号との両方を含む信号をトランスデューサに提供するための出力と、トランスデューサにおける周囲のオーディオ音を示すマイクロホン信号を受信するためのマイクロホン入力と、トランスデューサとマイクロホン信号を生成するためのマイクロホンとの１つ又は複数に集積回路を結合する通信リンクのリンク制御情報であって、通信リンクのリンク品質測定を含むリンク制御情報を受信するためのリンク制御入力と、トランスデューサの音響出力における周囲のオーディオ音を最小化するため、マイクロホン信号に合わせてアンチノイズ信号を生成する応答を有するフィルタを備え、リンク品質測定に応答してアンチノイズ信号の生成を修正する処理回路と、を備えることができる。
【０００７】
本開示のこれら及び他の実施例によると、方法は、（ｉ）リスナーへの再生のためのソース・オーディオと、トランスデューサの音響出力内の周囲のオーディオ音の影響を打ち消すためのアンチノイズ信号との両方を含む信号に応答して音を生成するためのトランスデューサと、（ｉｉ）トランスデューサにおける周囲のオーディオ音を示すマイクロホン信号を制御するためのマイクロホンと、の１つ又は複数に集積回路を結合するように構成された通信リンクのリンク制御情報であって、通信リンクのリンク品質測定を含むリンク制御情報を受信することを含むことができる。方法はまた、トランスデューサの音響出力における周囲のオーディオ音を最小化するためにマイクロホン信号に合わせてアンチノイズ信号をフィルタによって生成することも含むことができる。方法はさらに、リンク品質測定に応答してアンチノイズ信号の生成を修正することを含むことができる。
【０００８】
本開示の技術的な利点は、本明細書に含まれる図、説明、及び特許請求の範囲から当業者には容易に明らかになる可能性がある。実施例の目的及び利点は、特許請求の範囲において特に指摘される要素、特徴、及び組合せによって少なくとも実現され、達成されるであろう。
【０００９】
前述の一般的な説明及び以下の詳細な説明は両方とも、実例であって説明のためのものであり、本開示で述べられた特許請求の範囲を限定しないことを理解されたい。
【００１０】
本実施例及びその利点についてのより完全な理解は、同様の参照番号が同様の特徴を指す添付図面と併せて以下の説明を参照することによって得られる可能性がある。
【図面の簡単な説明】
【００１１】
【図１Ａ】本開示の実施例による、例示的な無線携帯型電話の図である。
【図１Ｂ】本開示の実施例による、ヘッドホン・アセンブリがディジタル通信リンクを介して結合された例示的な無線携帯型電話の図である。
【図２】本開示の実施例による、図１Ｂに描かれた無線携帯型電話及びヘッドホン・アセンブリの内部の選択された回路のブロック図である。
【発明を実施するための形態】
【００１２】
本開示は、無線電話などのパーソナル・オーディオ機器において実装することができる雑音消去技法及び回路を包含する。パーソナル・オーディオ機器は、周囲の音響環境を計測し、周囲の音響事象を消去するためにスピーカ（又は他のトランスデューサ）出力部において注入される信号を生成することができるＡＮＣ回路を含む。周囲の音響環境を計測するためにリファレンス・マイクロホンが設けられてもよく、並びに、周囲のオーディオ音を消去するアンチノイズ信号の適応を制御するために、及び処理回路の出力部からトランスデューサまでの電気的及び音響的経路を補正するためにエラー・マイクロホンが含まれてもよい。
【００１３】
ここで図１Ａを参照すると、本開示の実施例により示されるような無線電話１０が人間の耳５に近接して示されている。無線電話１０は、本開示の実施例による技法が用いられてもよい機器の実例であるが、図示された無線電話１０において又は後の図に描かれる回路において具現化される要素若しくは構成のすべてが、特許請求の範囲に規定された本発明を実施するために必要なわけではないことを理解されたい。無線電話１０は、無線電話１０によって受信された遠方の音声を再現するスピーカＳＰＫＲなどのトランスデューサを、例えば、リングトーン、保存されたオーディオ・プログラム素材、バランスのとれた会話理解を行うための近端音声（すなわち、無線電話１０のユーザの音声）の注入、並びに無線電話１０による再現を必要とする他のオーディオなどの他のローカルなオーディオ事象、例えば、無線電話１０よって受信されたウェブ・ページ又は他のネットワーク通信からのソース、並びにバッテリ低下の指示や他のシステム事象の通知などのオーディオ指示などと共に、含むことができる。無線電話１０から他の会話参加者（複数可）に送信される近端音声を捕らえるために近接音声マイクロホンＮＳが設けられてもよい。
【００１４】
無線電話１０は、スピーカＳＰＫＲによって再現される遠方の音声及び他のオーディオの明瞭度を改善するために、スピーカＳＰＫＲにアンチノイズ信号を注入するＡＮＣ回路及び機能を含むことができる。リファレンス・マイクロホンＲは、周囲の音響環境を計測するために設けられてもよく、近端音声がリファレンス・マイクロホンＲによって生成される信号において最小化され得るように、ユーザの口の典型的な位置から離れて置かれてもよい。別のマイクロホンであるエラー・マイクロホンＥは、無線電話１０が耳５のすぐそばにあるときに、耳５に近いスピーカＳＰＫＲによって再現されるオーディオと組み合わされる周囲オーディオの尺度を提供することによって、ＡＮＣの動作をさらに改善するために設けられることがある。他の実施例では、追加のリファレンス及び／又はエラー・マイクロホンが用いられてもよい。無線電話１０内部の回路１４は、リファレンス・マイクロホンＲ、近接音声マイクロホンＮＳ、及びエラー・マイクロホンＥからの信号を受信し、無線電話トランシーバを有する無線周波数（ＲＦ）集積回路１２などの他の集積回路とインターフェースするオーディオコーデック集積回路（ＩＣ）２０を含むことができる。本開示の一部の実施例では、本明細書に開示される回路及び技法は、例えばチップ上ＭＰ３プレーヤー集積回路のような、パーソナル・オーディオ機器全体を実現するための制御回路及び他の機能性を含む単一の集積回路に組み込まれてもよい。これら及び他の実施例では、本明細書に開示される回路及び技法は、コンピュータ可読媒体において具現化され、コントローラ又は他の処理機器によって実行可能なソフトウェア及び／又はファームウェアにおいて部分的に又は完全に実施されてもよい。
【００１５】
一般に、本開示のＡＮＣ技法は、リファレンス・マイクロホンＲに飛び込んでくる（スピーカＳＰＫＲの出力及び／又は近端音声とは対照的に）周囲の音響事象を計測し、また、エラー・マイクロホンＥに飛び込んでくる同じ周囲の音響事象を計測することによって、無線電話１０のＡＮＣ処理回路が、エラー・マイクロホンＥでの周囲の音響事象の大きさを最小化する特性を有するようにリファレンス・マイクロホンＲの出力から生成されるアンチノイズ信号を適応させる。音響経路Ｐ（ｚ）がリファレンス・マイクロホンＲからエラー・マイクロホンＥまで延在しているため、ＡＮＣ回路は、無線電話１０の音声出力回路の応答と、特定の音響環境におけるスピーカＳＰＫＲとエラー・マイクロホンＥとの間の結合を含むスピーカＳＰＫＲの音響／電気伝達関数とを表わす電気的及び音響的経路Ｓ（ｚ）の影響を除去しながら、音響経路Ｐ（ｚ）を効果的に推定しており、この特定の音響環境は、無線電話１０が耳５にしっかりと押し当てられていないときには、耳５及び他の物理的物体の近さ及び構造、並びに無線電話１０に近接しているかもしれない人間の頭の構造によって影響を受け得る。図示する無線電話１０は、第３の近接音声マイクロホンＮＳを有する２マイクロホンＡＮＣシステムを含んでいるが、本発明の一部の態様は、別個のエラー及びリファレンス・マイクロホンを含まないシステム、又はリファレンス・マイクロホンＲの機能を行うために近接音声マイクロホンＮＳを使用する無線電話において実施されてもよい。また、オーディオ再生のためにのみ設計されたパーソナル・オーディオ機器では、近接音声マイクロホンＮＳは一般に含まれず、以下でさらに詳細に説明する回路の近接音声信号経路は、マイクロホンへの入力に与えられる選択肢を限定する以外は、本開示の範囲を変更することなく省略されてもよい。
【００１６】
ここで図１Ｂを参照すると、オーディオ・ポート１５を介してヘッドホン・アセンブリ１３が結合された無線電話１０が描かれている。オーディオ・ポート１５は、ＲＦ集積回路１２及び／又はＡＮＣ回路３０（図２、及び、以下）に通信可能に結合されてもよく、したがってヘッドホン・アセンブリ１３の構成要素と、ＲＦ集積回路１２及び／又はＡＮＣ回路３０の１つ又は複数との間の通信を可能にしている。図１Ｂに示すように、ヘッドホン・アセンブリ１３は、コンボックス（combox）１６、左のヘッドホン１８Ａ、及び右のヘッドホン１８Ｂを含むことができる。
【００１７】
本開示において使用されるように、用語「ヘッドホン」は、あらゆるスピーカ、及びリスナーの外耳道に近接して適所に機械的に保持されることが意図された、スピーカに関連付けられた構造を幅広く含み、限定することなく、イヤホン、小型イヤホン、及び他の同様の機器を含む。より具体的な実例として、「ヘッドホン」は、イントラコンカ型（intra-concha）イヤホン、スープラコンカ型（supra-concha）イヤホン、及び耳載せ型（supra-aural）イヤホンを指すことがある。
【００１８】
コンボックス１６、又はヘッドホン・アセンブリ１３の別の部分は、無線電話１０の近接音声マイクロホンＮＳに加えて若しくはその代わりに、近端音声を捕らえるために近接音声マイクロホンＮＳを有してもよい。加えて、各ヘッドホン１８Ａ、１８Ｂは、他のローカルなオーディオ事象、例えば、リングトーン、保存されたオーディオ・プログラム素材、バランスのとれた会話理解を行うための近端音声（すなわち、無線電話１０のユーザの音声）の注入、並びに無線電話１０による再現を必要とする他のオーディオ、例えば、無線電話１０よって受信されたウェブ・ページ又は他のネットワーク通信からのソース、並びにバッテリ低下指示及び他のシステム事象通知などのオーディオ指示などと共に、無線電話１０によって受信された遠方の音声を再現するスピーカＳＰＫＲなどのトランスデューサを含んでもよい。各ヘッドホン１８Ａ、１８Ｂは、そのようなヘッドホン１８Ａ、１８Ｂがリスナーの耳にかけられたときに、周囲の音響環境を計測するためのリファレンス・マイクロホンＲ、及びリスナーの耳近くのスピーカＳＰＫＲによって再現されるオーディオと組み合わされる周囲のオーディオを計測するためのエラー・マイクロホンＥを含んでもよい。一部の実施例では、ＡＮＣ回路３０は、各ヘッドホンのリファレンス・マイクロホンＲ及びエラー・マイクロホンＥ、並びに、近接音声マイクロホンＮＳからの信号を受信し、本明細書に記載されるような各ヘッドホンに対する適応雑音消去を行うことができる。他の実施例では、ＡＮＣ回路又は別の回路は、ヘッドホン・アセンブリ１３内部に存在し、リファレンス・マイクロホンＲ、近接音声マイクロホンＮＳ、及びエラー・マイクロホンＥに通信可能に結合され、本明細書に記載されるような適応雑音消去を行うように構成されてもよい。
【００１９】
図１Ｂにも示されるように、ヘッドホン・アセンブリ１３は、ヘッドホン・アセンブリ１３とディジタル通信リンク１９との間の通信インターフェースを生成するリンク制御１７を含むことができ、無線電話１０は、無線電話１０とディジタル通信リンク１９との間の通信インターフェースを生成するリンク制御１１を含むことができる。したがって、無線電話１０とヘッドホン・アセンブリ１３とは、分散された適用ＡＮＣシステムが、専用の物理的ワイヤの組によってＡＮＣ回路３０に結合されずに、その代わりに共有されたディジタル通信リンク１９を介してＡＮＣ回路に通信可能に結合されているトランスデューサ（例えば参照マイクロホンＲ、近接音声信号ＮＳ、スピーカＳＰＫＲ）を有するという点で、共同設置されたＡＮＣシステムを形成する。共有されたディジタル通信リンク１９は、他の非ＡＮＣトラフィックを有することができ、従来の分散されていないＡＮＣ手法よりも外部環境からの干渉を受けやすいかもしれない。
【００２０】
図１Ｂはディジタル通信リンク１９を有線接続として描写しているが、一部の実施例では、ディジタル通信リンク１９は、ヘッドホン・アセンブリ１３と無線電話１０との間で通信するために、無線通信インターフェース（例えばＢＬＵＥＴＯＯＴＨ（登録商標）インターフェース）を含むことができる。
【００２１】
無線電話１０とヘッドホン・アセンブリ１３との間の通信はディジタル通信リンク１９を介して、任意の適宜な方法で実行され得る。例えば、一部の実施例では、このような通信は、２０１５年１０月２７日に出願された、"Transfer of Data with Check bits"の名称の、参照によりその全体が本明細書に組み込まれる米国仮特許出願第６２／２４６，９７２号に開示されている方法及びシステムに従って実行され得る。
【００２２】
ここで図２を参照すると、無線電話１０とヘッドホン・アセンブリ１３との内部の選択された回路がブロック図で示されており、他の実施例では、全体又は一部は１つ又は複数のヘッドホン又はイヤホンなど他の位置に置かれていてもよい。リンク制御１７に加えて、ヘッドホン・アセンブリ１３は、リファレンス・マイクロホン信号をマイクロホンＲから受信し、ディジタル通信リンク１９を介して無線電話１０に通信するためのリファレンス・マイクロホン信号のディジタル表現ｒｅｆを生成するためのアナログ・ディジタル変換器（ＡＤＣ）２１Ａと、エラー・マイクロホンＥからエラー・マイクロホン信号を受信し、ディジタル通信リンク１９を介して無線電話１０に通信するためのエラー・マイクロホン信号のディジタル表現ｅｒｒを生成するためのＡＤＣ２１Ｂと、を含むことができる。ヘッドホン・アセンブリ１３はまた、ディジタル通信リンク１９を介して無線電話１０からディジタル出力オーディオ信号を受信し、ディジタル音声出力信号をスピーカＳＰＫＲを駆動するためのアナログ信号に変換するためのディジタル・アナログ変換器（ＤＡＣ）２３をも含み得る。
【００２３】
無線電話１０は、適応ＡＮＣを実行するためにＡＮＣ回路３０を含み得る。ＡＮＣ回路３０は、内部オーディオ・ソース２４からのオーディオ信号ｉａと、無線周波数（ＲＦ）集積回路１２から受信され得るダウンリンク音声ｄｓと、（慣例によりリファレンス・マイクロホン信号ｒｅｆ内の雑音と同じ極性を有し、したがって結合器２６によって減算される）ＡＮＣ回路３０によって生成されたアンチノイズ信号とを組み合わせ、それによって、ディジタル通信リンク１９を介して無線電話１０に通信するためのディジタル出力オーディオ信号を生成するために、結合器２６を含むことができる。
【００２４】
適応フィルタ３２は、ヘッドホン・アセンブリ１３からディジタル通信リンク１９を介してリファレンス・マイクロホン信号ｒｅｆを受信し、理想的な状況下では、その伝達関数Ｗ（ｚ）をＰ（ｚ）／Ｓ（ｚ）となるように適応させてアンチノイズ信号のフィードフォワード・アンチノイズ成分を生成することができ、これを、結合器５０によって、アンチノイズ信号のフィードバック・アンチノイズ成分（以下でより詳細に説明される）と結合し、今度は、アンチノイズ信号をスピーカＳＰＫＲによって再現されるソース・オーディオ信号と組み合わせる出力結合器２６に提供されるアンチノイズ信号を生成することができる。適応フィルタ３２の係数は、信号の相関関係を用いて適応フィルタ３２の応答を決定するＷ係数制御ブロック３１によって制御されてもよく、この適応フィルタ３２が、ヘッドホン・アセンブリ１３からディジタル通信リンク１９を介して受信されるエラー・マイクロホン信号ｅｒｒ中に存在するリファレンス・マイクロホン信号ｒｅｆのそれらの成分間の、最小２乗平均の意味での誤差を全体的に最小化する。Ｗ係数制御ブロック３１によって比較される信号は、フィルタ３４Ｂによって提供される経路Ｓ（ｚ）の応答の推定のコピーによって成形されるようなリファレンス・マイクロホン信号ｒｅｆと、エラー・マイクロホン信号ｅｒｒを含む別の信号とであってもよい。経路Ｓ（ｚ）の応答の推定のコピーである応答ＳＥＣＯＰＹ（Ｚ）によってリファレンス・マイクロホン信号ｒｅｆを変換し、エラー・マイクロホン信号中の周囲のオーディオ音を最小化することによって、適応フィルタ３２は、Ｐ（ｚ）／Ｓ（ｚ）の所望の応答に適応することができる。エラー・マイクロホン信号ｅｒｒに加えて、Ｗ係数制御ブロック３１によってフィルタ３４Ｂの出力と比較される信号には、応答ＳＥＣＯＰＹ（Ｚ）がそのコピーであるフィルタ応答ＳＥ（ｚ）によって処理されたダウンリンク・オーディオ信号ｄｓ及び／又は内部オーディオ信号ｉａの反転量が含まれてもよい。ダウンリンク・オーディオ信号ｄｓ及び／又は内部オーディオ信号ｉａの反転量を注入することによって、適応フィルタ３２が、エラー・マイクロホン信号ｅｒｒ中に存在する比較的大きな量のダウンリンク・オーディオ信号及び／又は内部オーディオ信号に適応するのを防止することができる。しかしながら、ダウンリンク・オーディオ信号ｄｓ及び／又は内部オーディオ信号ｉａのその反転コピー（inverted copy）を経路Ｓ（ｚ）の応答の推定で変換することによって、エラー・マイクロホン信号ｅｒｒから除去されるダウンリンク・オーディオ及び／又は内部オーディオは、Ｓ（ｚ）の電気的及び音響的経路が、ダウンリンク・オーディオ信号ｄｓ及び／又は内部オーディオ信号ｉａがエラー・マイクロホンＥに到達するために辿る経路であるため、エラー・マイクロホン信号ｅｒｒで再現されるダウンリンク・オーディオ信号ｄｓ及び／又は内部オーディオ信号ｉａの予期されるバージョンと一致するはずである。フィルタ３４Ｂは、それ自体適応フィルタでなくてもよいが、フィルタ３４Ｂの応答が適応フィルタ３４Ａの適応に追従するように、適応フィルタ３４Ａの応答と一致するように調整される調節可能な応答を��することができる。
【００２５】
上記を実装するために、適応フィルタ３４Ａは、ダウンリンク・オーディオ信号ｄｓ及び／又は内部オーディオ信号ｉａと、エラー・マイクロホンＥに送達される予期されるダウンリンク・オーディオを表わすように適応フィルタ３４Ａによってフィルタされており、図２でＰＢＣＥとして示される再生補正エラーを生成するように結合器３６によって適応フィルタ３４Ａの出力から除去される上記のフィルタされたダウンリンク・オーディオ信号ｄｓ及び／又は内部オーディオ信号ｉａを除去した後のエラー・マイクロホン信号ｅｒｒとを比較するＳＥ係数制御ブロック３３によって制御される係数を有することができる。ＳＥ係数制御ブロック３３は、実際のダウンリンク・オーディオ信号ｄｓ及び／又は内部オーディオ信号ｉａをエラー・マイクロホン信号ｅｒｒ中に存在するダウンリンク・オーディオ信号ｄｓ及び／又は内部オーディオ信号ｉａの成分と相関させることができる。それによって、エラー・マイクロホン信号ｅｒｒから減算されたときにはダウンリンク・オーディオ信号ｄｓ及び／又は内部オーディオ信号ｉａに起因しないエラー・マイクロホン信号ｅｒｒのコンテンツを含むことになる信号を、ダウンリンク・オーディオ信号ｄｓ及び／又は内部オーディオ信号ｉａから生成するように、適応フィルタ３４Ａを適応させることができる。
【００２６】
図２に描かれるように、ＡＮＣ回路３０は、フィードバック・フィルタ４４を備えることができる。フィードバック・フィルタ４４は、再生補正エラー信号ＰＢＣＥを受信し、応答ＦＢ（ｚ）を適用して再生補正エラーに基づいて、フィードバック信号を生成することができる。アンチノイズ信号のフィードバック・アンチノイズ成分は、結合器５０によってアンチノイズ信号のフィードフォワード・アンチノイズ成分と組み合わせてアンチノイズ信号を生成することができ、これを、アンチノイズ信号をスピーカＳＰＫＲによって再現されるソース・オーディオ信号と組み合わせる結合器２６に提供することができる。
【００２７】
図２に描かれるように、無線電話１０のリンク制御１１は、ＡＮＣ回路３０のリンク制御入力によって受信され得るリンク制御情報ＬＣＩを生成することができる。リンク制御情報ＬＣＩは、それに限定されないがディジタル通信リンク１９のリンク品質測定を含む、ディジタル通信リンク１９に関する任意の好適な情報を含むことができる。例えば、一部の実施例では、リンク品質測定は、ディジタル通信リンク１９のビットエラーの数を含むことができる。別の例として、これら及び他の実施例では、リンク品質測定はディジタル通信リンク１９のビットエラー率を含むことができる。
【００２８】
ディジタル通信リンク１９における非信頼性を示すリンク品質測定に応答して、ＡＮＣ回路３０は、アンチノイズ信号の生成を修正することができる。例えば、ＡＮＣ回路３０の１つ又は複数の構成要素は、リンク品質測定を閾値と比較し、このような比較に基づいて応答してアンチノイズ信号の生成を修正（例えば、閾値数を超えて増大するビットエラー数に応答してアンチノイズ信号の生成の修正、及び／又は閾値の率を下回って減少するビットエラー率に応答してアンチノイズ信号の生成を修正）するように構成され得る。
【００２９】
一部の実施例では、ＡＮＣ回路３０は、リンク品質測定に応答して適応フィルタ３２及び３４Ａの１つ又は複数の適応を修正することによってアンチノイズ信号の生成を修正することができる。適応フィルタ３２及び／又は３４Ａのこのような修正は、リンク品質測定に応答して適応フィルタの適応を中止する（例えば、リンク品質測定がディジタル通信リンク１９の非信頼性を示す場合は、Ｗ係数制御ブロック３１及び／又はＳＥ係数制御ブロック３３によって生成される係数を一定に留まらせることによって）ことを含み得る。それに加えて、又は代替として、適応フィルタ３２及び／又は３４Ａのこのような修正は、リンク品質測定応に応答して適応フィルタの１つ又は複数の係数を所定値に設定し適応フィルタの応答の適応の混乱（disruption）を治癒する（例えば、Ｗ係数制御ブロック３１及び／又はＳＥ係数制御ブロック３３によって生成される係数を、リンク品質測定がディジタル通信リンク１９の信頼性を再び示すような時に適応が再開された場合には適応に混乱を生じないとして知られている値に設定することによって）ことを含み得る。
【００３０】
これら及び他の実施例では、ＡＮＣ回路３０は、リンク品質測定に応答してアンチノイズ信号をミュートすることによってアンチノイズ信号の生成を修正することができる。例えば、ＡＮＣ回路３０は、ディジタル通信リンク１９の非信頼性を示すリンク品質測定に応答して、適応フィルタ３２及び／又はフィードバック・フィルタ４４の内部ゲインをゼロに設定することによってアンチノイズ信号をミュートすることができる。
【００３１】
これら及び他の実施例では、ＡＮＣ回路３０は、リンク品質測定に応答して別の通信リンクの他のリンク制御情報（例えば、近接音声マイクロホンＮＳからの近接音声信号、又は別の音声信号を通信するために別の通信リンクに関するリンク制御情報）を受信し、その通信リンクに結合された１つ又は複数の機器に影響を及ぼすように構成され得る。例えば、ＡＮＣ回路３０が、ディジタル通信リンク１９のためにリファレンス・マイクロホンＲ、エラー・マイクロホンＥ、及び／又はスピーカＳＰＫＲについての適応を停止すると、ＡＮＣ回路３０は、他の通信リンク上の音声マイクロホン（例えば、近接音声マイクロホンＮＳ）に関連する適応をも停止し得る。
【００３２】
本明細書において用いられるとき、２つ以上の要素が互いに「結合される」というときは、このような用語は、そのような２つ以上の要素が、間接的であれ直接的であれ、介在要素を介して又は介さずに電子的に通信している状態であることを示す。
【００３３】
本開示は、当業者が理解する本明細書の例示的な実施例に対するすべての変更形態、置換形態、変形形態、代替形態及び修正形態を包含する。同様に、適切な場合は、添付された特許請求の範囲は、当業者が理解する本明細書の例示的な実施例に対するすべての変更形態、置換形態、変形形態、代替形態及び修正形態を包含する。さらに、特定の機能を行うように適合され、配置され、能力を有し、構成され、可能にされ、動作可能であり、又は作用効果がある、添付された特許請求の範囲における装置若しくはシステム又は装置若しくはシステムの構成要素への言及は、その装置、システム、若しくは構成要素、又はその特定の機能が、活性化され、電源投入され、若しくは解除されるか否かにかかわらず、その装置、システム、若しくは構成要素が、そのように適合され、配置され、能力を有し、構成され、可能にされ、動作可能であり又は作用効果がある限り、その装置、システム、若しくは構成要素を包含する。
【００３４】
本明細書に列挙された実例及び条件付き文言はすべて、本開示及び発明者が技術の推進に貢献した概念を読者が理解する手助けとなる教育的な目的が意図されており、そのような特別に列挙された実例及び条件に限定しないものとして解釈される。本開示の実施例について詳細に記載したが、本開示の趣旨及び範囲から逸脱せずに、本発明に対する様々な変更、置換え、及び代替を行うことができることを理解されたい。
【図１Ａ】
2018533772.tif 000003
【図１Ｂ】
2018533772.tif 000004
【図２】
2018533772.tif 000005
【国際調査報告】
2018533772.tif 000006
2018533772.tif 000007